(57)【要約】【課題】  整髪された毛髪に効率良くマイナスイオンを当てることができ、毛髪を充分にしっとりとさせることができるコームを提供する。【解決手段】  基台部１４に一列に櫛歯１５を並設したコーム部８を設ける。放電によりマイナスイオンを生成する放電部２を内装する。放電部２で生成したマイナスイオンを外部へ放出するマイナスイオン放出口１８を備える。【選択図】        図１
2006175028.tif 000002
【特許請求の範囲】
【請求項１】
基台部に一列に櫛歯を並設したコーム部を設け、放電によりマイナスイオンを生成する放電部を内装し、該放電部で生成したマイナスイオンを外部へ放出するマイナスイオン放出口を備えて成ることを特徴とするコーム。
【請求項２】
上記マイナスイオン放出口から一列の櫛歯側に向けて櫛歯の並設方向と平行な方向にマイナスイオンを放出して成ることを特徴とする請求項１に記載のコーム。
【請求項３】
上記放電部を内装したハウジングを把持部とすると共に該ハウジングにてコーム部を支持し、該ハウジングに上記マイナスイオン放出口を形成すると共に該ハウジングを導電性材料にて形成して成ることを特徴とする請求項１又は請求項２に記載のコーム。
【請求項４】
上記放電部を内装したハウジングにコーム部を着脱自在に取付けて成ることを特徴とする請求項１〜３のいずれかに記載のコーム。
【請求項５】
上記一列の櫛歯をアースするアース手段を設けて成ることを特徴とする請求項１〜４のいずれかに記載のコーム。
【請求項６】
上記放電部を内装したハウジングの一端側にコーム部を設け、該ハウジングのコーム部と反対側の他端に棒状のテール部を設けて成ることを特徴とする請求項１〜５のいずれかに記載のコーム。
【発明の詳細な説明】
【技術分野】
【０００１】
本発明は毛髪を梳くために用いられる一列の櫛歯を有するコームに関する。
【背景技術】
【０００２】
従来、多数のブリッセルを突設した基台部にマイナスイオン放出口を設け、該マイナスイオン放出口からマイナスイオンを吹き出すようにしたヘアーブラシがあり、このものは頭髪等の毛髪の手入れの際において微小な水分を取り込んだマイナスイオンを毛髪に当てることで、マイナスイオンを毛髪の内部深くまで水分を浸透させ毛髪をしっとりとさせるものである（例えば特許文献１参照）。
【０００３】
しかし上記特許文献１に示す従来例にあっては、基台部から吹き出されたマイナスイオンが不規則に多数突設したブリッセルに当たって消滅してしまったり、またこのマイナスイオンが当たったブリッセルがマイナスに帯電してマイナスイオンの吹き出しを妨げてしまったりし、これによりマイナスイオンを効率良く毛髪に当てることができなかった。また不規則に多数突設したブリッセル間には複雑に絡まったような状態にある毛髪が多量に存在するため、ブリッセル間に存在する毛髪に均等にマイナスイオンを当てることができず、この点からも毛髪にマイナスイオンを効率良く当てることができず、この結果、毛髪を充分にしっとりとさせることができなかった。
【特許文献１】特開平９−３５０号公報
【発明の開示】
【発明が解決しようとする課題】
【０００４】
本発明は上記従来の問題点に鑑みて発明したものであって、毛髪に効率良くマイナスイオンを当てることができ、毛髪を充分にしっとりとさせることができるコームを提供することを課題とするものである。
【課題を解決するための手段】
【０００５】
上記課題を解決するために本発明に係るコームは、基台部１４に一列に櫛歯１５を並設したコーム部８を設け、放電によりマイナスイオンを生成する放電部２を内装し、放電部２で生成したマイナスイオンを外部へ放出するマイナスイオン放出口１８を備えて成ることを特徴とする。このような構成により一列の櫛歯１５を用いて毛髪を梳くと同時に、一列の櫛歯１５によって保持された所望の毛髪にマイナスイオンを当てることができ、この場合、櫛歯１５によって整髪される前又は後の櫛歯１５間に保持された少量の毛髪にマイナスイオンを当てることができ、また従来のように不規則に多数突設したブリッセルや複雑に絡まったような状態にある毛髪によってマイナスイオンが遮られることがなく、これにより毛髪に効率良くマイナスイオンを当てることができて確実に毛髪をしっとりとさせることができる。
【０００６】
また上記マイナスイオン放出口１８から一列の櫛歯１５側に向けて櫛歯１５の並設方向イと平行な方向にマイナスイオンを放出することも好ましい。櫛歯１５の並設方向イと平行な方向に向けてマイナスイオンを放出することで、マイナスイオンが櫛歯１５によって遮られ難くなり、マイナスイオン放出口１８に近い位置にある毛髪だけでなく、マイナスイオン放出口１８から離れた位置にある毛髪にも、効率良くマイナスイオンを当てることができる。
【０００７】
また上記放電部２を内装したハウジング１を把持部とすると共に該ハウジング１にてコーム部８を支持し、該ハウジング１に上記マイナスイオン放出口１８を形成すると共に該ハウジング１を導電性材料にて形成することも好ましい。マイナスイオン放出口１８を形成したハウジング１を導電性材料にて形成することで、使用者がハウジング１を把持した際にマイナスイオン放出口１８をアースすることができ、これによりマイナスイオン放出口１８がマイナスに帯電して、マイナスイオンが放電部２からマイナスイオン放出口１８側に移動し難くなることを防止でき、マイナスイオンを効率良く放出できる。
【０００８】
また上記放電部２を内装したハウジング１にコーム部８を着脱自在に取付けることも好ましい。コーム部８のみをハウジング１から取外して水洗いすることができる。
【０００９】
また上記一列の櫛歯１５をアースするアース手段を設けることも好ましい。アース手段により一列の櫛歯１５をアースすることで、櫛歯１５によって毛髪を梳いた際や、櫛歯１５にマイナスイオンが当たったとしても、櫛歯１５がマイナスに帯電することを防止でき、従ってマイナスイオンが櫛歯１５側に向けて放出され難くなることを防止できて、マイナスイオン放出口１８から効率良くマイナスイオンを放出することができる。
【００１０】
また上記放電部２を内装したハウジング１の一端側にコーム部８を設け、該ハウジング１のコーム部８と反対側の他端に棒状のテール部１７を設けることも好ましい。テール部１７を用いて少量の毛髪を取り分けることができる。
【発明の効果】
【００１１】
本発明では毛髪に効率良くマイナスイオンを当てることができて確実に毛髪をしっとりとさせることができる。
【発明を実施するための最良の形態】
【００１２】
以下本発明を添付図面に示す実施形態に基いて説明する。図１に示すコームは基台部１４に一列に櫛歯１５を並設したコーム部８とコーム本体７とからなる。
【００１３】
図２はコーム部８を取り外した状態にあるコーム本体７を示すもので、図に示すようにコーム本体７の外殻は、その長手方向における一端側に配された電池収納部１０と、中央部分に配されたハウジング１と、他端側に配されたテール部１７とで構成され、前記コーム部８はコーム本体７のハウジング１の櫛歯１５の並設方向イにおける一端側に着脱自在に取り付けられている。
【００１４】
コーム部８を支持するハウジング１は毛髪を梳く際に使用者によって把持される把持部となるもので、導電性を有する成形材料にて形成されている。具体的にはハウジング１はダイセルポリマー株式会社製  ノバロイ  Ｅ１０により形成されている。
【００１５】
電池収納部１０はハウジング１から櫛歯１５の並設方向イ（コーム本体７の長手方向と同じ方向）におけるコーム部８側に突設したもので、該電池収納部１０は導電性を有する成形材料にて形成され、ハウジング１と電気的に接続されている。なお本実施形態の電池収納部１０はハウジング１と同一の材料にて形成されている。電池収納部１０の内部には電源としての電池を収納してあり、該電池は電池収納部１０の外面部の一部を構成する着脱自在なカバー１２を取外すことで電池収納部１０内に出し入れできるようになっている。また電池収納部１０のハウジング１側の端部の外面（カバー１２を除く部分）には金属製の板バネからなるアース用端子１３を設けてあり、該アース用端子１３には電池収納部１０の外側に向けてく字状に折曲する折曲部１３ａを形成している。
【００１６】
ハウジング１のコーム部８と反対側の他端にはコーム部８とは反対側に向かって突出する棒状のテール部１７を設けてあり、該テール部１７は絶縁性を有する成形材料にて形成されている。そしてこのテール部１７を用いて毛髪を少量ずつ取り分けられるようになっている。
【００１７】
図３等に示すように基台部１４と基台部１４の外面に一列に並設した櫛歯１５とで構成されるコーム部８は導電性を有する成形材料にて形成されている。具体的にはコーム部８はカーボンファイバー入りの６ナイロンにて形成されている。
【００１８】
櫛歯１５は基台部１４の基先方向（コーム本体７の長手方向と同じ方向）に間隔を介して基台部１４の略全長に亘って設けてあり、各櫛歯１５は基台部１４の外面から垂直に一体に突設している。
【００１９】
図５に示すように基台部１４はハウジング１側の基端が開口した有底筒状に形成されており、該基台部１４の基端開口からその内側に前記電池収納部１０を挿入すると共に、図示しない係止手段により基台部１４をハウジング１に係止することで、コーム部８はハウジング１に取り付けられる。この係止手段による基台部１４とハウジング１の係止はハウジング１に設けた着脱釦２１（図１等参照）を押し操作することで解除できるようになっており、これによりコーム部８はハウジング１に対して着脱自在となっている。このようにコーム部８をハウジング１に対して着脱自在に取付けることでハウジング１からコーム部８を取り外してコーム部８を水洗いすることが可能となっている。また本例の有底筒状の基台部１４の底部には図３（ａ）や図５に示すように水抜き用孔２２を貫設してあり、コーム部８を水洗いする際には基台部１４の内側に溜まる水を水抜き用孔２２から抜くことが可能となっている。
【００２０】
また上記のようにコーム部８をコーム本体７のハウジング１に取り付けた状態にあっては、電池収納部１０に設けたアース用端子１３の折曲部１３ａがコーム部８の有底筒状の基台部１４の内面に弾接し、これにより一列の櫛歯１５は、基台部１４、アース用端子１３、電池収納部１０、を順に介して把持部となるハウジング１に電気的に接続されている。つまり本例では一列の櫛歯１５をアースするアース手段を、導電性を有する成形材料で形成された基台部１４、電池収納部１０、ハウジング１、とアース用端子１３により構成している。
【００２１】
上記コーム部８を取付けたコーム本体７のハウジング１は図１等に示すように櫛歯１５の並設方向イにおけるテール部１７側の部分が電池収納部１０側の部分よりも櫛歯１５の突出方向と同一方向に向けて突出してあり、該ハウジング１の突出部１ａのコーム部８側の面にはコーム部８側に向けて開口するマイナスイオン放出口１８を形成している。
【００２２】
具体的にはマイナスイオン放出口１８は櫛歯１５の並設方向イから見て一列の櫛歯１５とマイナスイオン放出口１８とが重複する位置に形成され、櫛歯１５の並設方向イと平行な方向に向けて且つ一列の櫛歯１５側に向けて開口している。また図示は省略するがマイナスイオン放出口１８は櫛歯１５の並設方向イから見てその中心に一列の櫛歯１５が通る位置に形成されており、これにより後述する放電部２で生成されたマイナスイオンは各櫛歯１５の両側を通るようにマイナスイオン放出口１８から放出されるようになっている。
【００２３】
図４に示すようにハウジング１の突出部１ａの内部にはマイナスイオン放出口１８に連通する空間１９を導電性材料からなるハウジング１の内面で形成してあり、該空間１９には放電部２を配設している。放電部２は、先端が針状に形成された放電極２ａと該放電極２ａの先端側（マイナスイオン放出口１８側）に対向配置されたリング状の対向電極２ｂとからなる。放電極２ａ及び対向電極２ｂはリード線２４ａ、２４ｂを介してハウジング１に内装した高電圧発生回路４の高電圧側及びグランド側の夫々に電気的に接続されており、高電圧発生回路４により前述の電池を電源として高電圧を発生させると共に対向電極２ｂを基準電極として放電極２ａに負の電圧を印加できるようになっている。また高電圧発生回路４のグランド側には前述の電池収納部１０に設けたアース用端子１３が電線２３を介して電気的に接続されており、これにより高電圧発生回路４のグランド側は、電線２３、アース用端子１３、電池収納部１０を順に介して把持部となるハウジング１に電気的に接続されている。
【００２４】
上記高電圧発生回路４による両電極２ａ、２ｂ間への電圧の印加はコーム本体７のハウジング１に設けた電源スイッチ２０の操作により切り換えられるようになっており、該電源スイッチ２０を操作してＯＮにすることでマイナスイオン放出口１８からマイナスイオンを放出できるようになっている。つまり電源スイッチ２０をＯＮにすると、前述のように高電圧発生回路４により両電極２ａ、２ｂ間に高電圧を印加する。これにより放電極２ａの先端近傍でコロナ放電が生じてマイナスイオンが発生し、同時にこのマイナスの電荷を持ったマイナスイオンが両電極２ａ、２ｂ間に生じる電気力線に沿って移動して、空間１９からマイナスイオン放出口１８を介してハウジング１の外部に放出される。そしてこのようにマイナスイオン放出口１８から放出されたマイナスイオンはコーム部８の一列の櫛歯１５側に向けて放出され、この後、一列の櫛歯１５の両外側を櫛歯１５の並設方向イに沿って流れることとなる。
【００２５】
以上説明したように本発明では、コームに内装した放電部２でマイナスイオンを生成し、該放電部２で生成したマイナスイオンをコームに形成したマイナスイオン放出口１８からコームの外部に放出できるので、ハウジング１を手で把持して一列の櫛歯１５により毛髪を梳く（コーミングする）と同時に、一列の櫛歯１５によって保持された所望の毛髪にマイナスイオンを当てることができ、この場合、櫛歯１５によって整髪される前又は後の櫛歯１５間に保持された少量の毛髪にマイナスイオンを当てることができ、また従来のように不規則に多数突設したブリッセルや複雑に絡まったような状態にある毛髪によってマイナスイオンが遮られるようなことがないため、毛髪に効率良くマイナスイオンを当てることができる。
【００２６】
またこの際マイナスイオンはマイナスイオン放出口１８から一列の櫛歯１５側に向けて櫛歯１５の並設方向イと平行に放出されるので、マイナスイオンが櫛歯１５によって遮られ難くなり、一列の櫛歯１５に保持された毛髪全体にマイナスイオンを効率良く当てることができる。なお本実施形態ではマイナスイオン放出口１８から一列の櫛歯１５側に向けてマイナスイオンが放出されるようにしたが、例えばハウジング１に設けたマイナスイオン放出口１８の開口方向を基台部１４側を向き且つ櫛歯１５の並設方向と平行な方向とし、マイナスイオンが基台部１４の基先方向と平行な外面に沿って流れるようにしたり、また基台部１４に櫛歯１５の突出方向や櫛歯１５の突出方向と直交する方向に向けて開口するマイナスイオン放出口１８を設ける等しても良いものとする。
【００２７】
また本例ではマイナスイオン放出口１８を形成したハウジング１を導電性材料にて形成しているので、把持部となるハウジング１を手で把持した際にはこの手を介してマイナスイオン放出口１８をアースすることができ、これによりマイナスイオンが放電部２からマイナスイオン放出口１８側に移動し難くなることを防止できる。即ち、例えばマイナスイオン放出口１８を形成したハウジング１を絶縁物により形成すると、マイナスイオンがマイナスイオン放出口１８に当たった際に、マイナスイオン放出口１８がマイナスに帯電してしまい、これによりマイナスに帯電したマイナスイオンがマイナスイオン放出口１８に反発してマイナスイオン放出口１８側に移動し難くなるのだが、本例ではこのような問題を改善できるのである。
【００２８】
また本例では前述のようにコーム部８の一列の櫛歯１５を、基台部１４、アース用端子１３、電池収納部１０、を順に介して把持部となるハウジング１に電気的に接続してあり、ハウジング１を把持することでコーム部８の一列の櫛歯１５をアースできるようになっているので、例えばコーム部８の櫛歯１５によって毛髪を梳いた際に毛髪と櫛歯１５とが擦れたり、またコーム部８の一列の櫛歯１５にマイナスイオンが付着したりする等して、コーム部８の一列の櫛歯１５に帯電するマイナスの電荷を除電することができ、これによりマイナスに帯電した櫛歯１５によりマイナスイオン放出口１８から一列の櫛歯１５側にマイナスイオンが送られ難くなるようなことがなくなって、マイナスイオンをマイナスイオン放出口１８から一列の櫛歯１５側に一層効率良く放出できる。
【図面の簡単な説明】
【００２９】
【図１】本発明の実施の形態の一例を示し、図はコーム全体の側面図である。
【図２】同上のコーム本体を示す側面図である。
【図３】同上のコーム部で、（ａ）は正面図、（ｂ）は側面図である。
【図４】同上のコーム本体の断面図である。
【図５】同上のコームの断面図である。
【符号の説明】
【００３０】
１  ハウジング
８  コーム部
１４  基台部
１５  櫛歯
１７  テール部
１８  イオン放出口
【図１】
2006175028.tif 000003
【図２】
2006175028.tif 000004
【図３】
2006175028.tif 000005
【図４】
2006175028.tif 000006
【図５】
2006175028.tif 000007